(57)【要約】【課題】多量の計測結果や複雑な演算結果の表示を可能とした計測機器を提供する。【解決手段】体重計２の属性情報や体重計２が他のデバイスに提供するサービスをサーバ３に通知する。サーバ３は、体重計２に関する情報を取得すると、体重計２に測定結果の送信を要求する。サーバ３のユーザ特定部３２は、測定結果を受信すると、測定結果を基にユーザを特定する。サーバ３の体重データ管理部３１は、測定結果と、ユーザの識別情報と、測定日時とを体重データ記録部４０に格納する。【選択図】図１
2005319216.tif 000002
【特許請求の範囲】
【請求項１】
ユーザの身体運動又はユーザの生体情報を計測する計測手段と、
ＬＡＮ（Local Area Network）の物理的な通信路との仲介を行うインターフェース手段と、
上記ＬＡＮに接続された外部機器に対して自身に関する情報を通知する通知手段と、
上記外部機器からの要求に応じて上記計測手段の計測結果を送信する送信手段と
を備える計測機器と、
上記計測機器の存在を検出する検出手段と、
上記計測機器に関する情報を要求する要求手段と、
上記計測機器に対して計測結果の送信を要求する計測結果要求手段と、
上記計測結果を格納する計測結果格納手段と
を備える情報処理装置と
を有することを特徴とする健康管理システム。
【請求項２】
上記計測機器は、
画像を表示する表示手段と、
上記表示手段に表示させる情報を上記情報処理装置に要求する表示情報要求手段と、
上記情報処理装置から受信した情報を上記表示手段に表示させる表示制御手段と
を備え、
上記情報処理装置は、
上記計測機器からの要求に応じた表示情報を上記計測機器に送信する表示情報送信手段を備えることを特徴とする請求項１記載の健康管理システム。
【請求項３】
上記計測機器から計測結果を基に計測対象者を特定する計測対象者特定手段を備え、
上記計測結果格納手段は、上記計測結果と計測対象者とを関連付けて格納することを特徴とする請求項１記載の健康管理システム。
【請求項４】
上記計測結果格納手段は、上記計測結果と計測日時とを関連付けて格納することを特徴とする請求項１記載の健康管理システム。
【請求項５】
ユーザの身体運動又はユーザの生体情報を計測する計測機器であって、
ＬＡＮの物理的な通信路と当該計測機器とを仲介するインターフェース手段と、
上記ＬＡＮに接続された外部機器に対して当該計測機器に関する情報を通知する通知手段と、
上記外部機器からの要求に応じて計測結果を送信する計測結果送信手段と
を備えることを特徴とする計測機器。
【請求項６】
画像を表示する表示手段と、
上記表示手段に表示させる情報を上記外部機器に要求する表示情報要求手段と、
上記外部機器から受信した情報を上記表示手段に表示させる表示制御手段と
を備えることを特徴とする請求項５記載の計測機器。
【請求項７】
上記表示情報要求手段は、上記外部機器に格納された計測結果を要求することを特徴とする請求項６記載の計測機器。
【請求項８】
上記表示情報要求手段は、上記外部機器に蓄積された計測結果から導出される情報を要求することを特徴とする請求項６記載の計測機器。
【請求項９】
ＬＡＮに存在する外部機器を検出する検出手段と、
上記検出手段が検出した外部機器に対し、該外部機器に関する情報を要求する機器情報要求手段と、
上記外部機器が人間の身体運動又は生体情報を計測する計測機器であるとき、該計測機器に対して計測結果の送信を要求する計測結果要求手段と、
上記計測機器から送信された計測結果を格納する計測結果格納手段と
を備えることを特徴とする情報処理装置。
【請求項１０】
上記計測機器から送信された計測結果を基に計測対象者を特定する計測対象者特定手段を備え、
上記計測結果格納手段は、上記計測結果と計測対象者とを関連付けて格納することを特徴とする請求項９記載の情報処理装置。
【請求項１１】
上記計測結果格納手段は、上記計測結果と計測日時とを関連付けて格納することを特徴とする請求項９記載の情報処理装置。
【請求項１２】
上記計測機器からの要求に応じて上記計測結果格納手段に格納した計測結果を上記計測機器に送信する計測結果送信手段を備えることを特徴とする請求項９記載の情報処理装置。
【請求項１３】
上記計測機器からの要求に応じて上記計測結果から所定の情報を導出し、該情報を上記計測機器に送信する導出情報送信手段を備えることを特徴とする請求項９記載の情報処理装置。
【発明の詳細な説明】
【技術分野】
【０００１】
本発明は、人間の身体運動又は人間の生体情報を計測する計測機器、上記計測機器の計測結果を処理する情報処理装置、計測装置が計測したデータを情報処理装置が管理する健康管理システムに関する。
【背景技術】
【０００２】
従来、家庭等で測定された血圧、心拍数、心電図、脳波、体脂肪、体温、体重等のデータは、計測機器の内蔵メモリに個別に蓄積されていたが、メモリには限界があり、長期の記録や解析には適していない。また、蓄積したデータからユーザの体調などを解析するには、書籍や雑誌等を参照する必要があった。
【０００３】
最近では、パーソナルコンピュータの普及により市販のソフトウェアでデータの集積および解析を行うことができるようになった。しかし、血圧計、心拍数、心電計、脳波、体脂肪、体温等のデータを毎日パーソナルコンピュータに入力する必要があり煩雑である。
【０００４】
この煩雑さを解消するために、インターネットのような広域通信網を用いて、外部のサーバにデータの集積と解析とを実行させるシステムが存在する。このシステムでは、体重計や心拍計などの計測機器をパーソナルコンピュータや携帯電話などのデータ端末装置（ＤＴＥ；Data Terminal Equipment）に接続し、ＤＴＥの通信機能を利用してインターネット上のサーバにデータを集積させる。サーバは、集積したデータの解析を行い、解析結果をユーザに提供する（例えば、特許文献１参照）。
【０００５】
特許文献１記載の発明では、測定データの解析及び測定データの送信を行うたびにインターネットに接続する必要がある。また、解析したデータは、パーソナルコンピュータでしか閲覧することができないので、解析したデータを閲覧するためにパーソナルコンピュータを起動しなくてはならない。
【０００６】
計測をすると同時に過去に計測したデータやデータの解析結果などを閲覧できれば非常に便利である。しかしながら、家庭用の計測機器では、ハードウェアの処理能力やメモリの記録容量が低いため、多くのデータを記録したり、複雑なデータ解析をすることができない。
【０００７】
【特許文献１】特開２００２−２３０１５８号公報
【発明の開示】
【発明が解決しようとする課題】
【０００８】
本発明は、上述した課題を解決するために、多量の計測結果や複雑な演算結果の表示を可能とした計測機器、計測結果の格納や演算を補助する情報処理装置、計測機器の計測結果を情報処理装置が管理する健康管理システムを提供することを目的とする。
【課題を解決するための手段】
【０００９】
本発明にかかる健康管理システムは、ユーザの身体運動又はユーザの生体情報を計測する計測手段と、ＬＡＮの物理的な通信路との仲介を行うインターフェース手段と、ＬＡＮに接続された外部機器に対して自身に関する情報を通知する通知手段と、外部機器からの要求に応じて計測手段の計測結果を送信する送信手段とを備える計測機器と、計測機器の存在を検出する検出手段と、計測機器に関する情報を要求する要求手段と、計測機器に対して計測結果の送信を要求する計測結果要求手段と、計測結果を格納する計測結果格納手段とを備える情報処理装置とを備える。
【発明の効果】
【００１０】
本発明における計測機器は、自身に関する情報をＬＡＮ上の外部機器に送信し計測結果を格納する外部機器を検索する。そのため、本発明における計測機器は、ユーザが特別なネットワークの設定を行わずとも、自動的に計測結果を記録することができ、ユーザが手動で記録する手間を省き、計測結果の記録漏れや記録ミスを回避することができる。
【００１１】
また、本発明によれば、計測機器の表示手段に表示させる情報を外部機器に生成させるため、ユーザがパーソナルコンピュータなどの演算装置を操作しなくとも、計測機器を操作するだけで過去の計測結果の図表や計測結果を基に導いた情報などを閲覧することができる。
【発明を実施するための最良の形態】
【００１２】
以下、図面を参照して本発明を適用した健康管理システム１について説明する。健康管理システム１は、図１に示すように体重計２、体脂肪計５、脈拍計６、心拍計７、歩数計８、血圧計９、体温計１０などの計測機器とサーバ３とを備える。計測機器とサーバ３は、ハブに接続されており、ＬＡＮ（Local Area Network）を形成している。なお、図１は、ＬＡＮの構成の一例である。ＬＡＮの構成や計測機器の数や種類は、上述のものに限定されるわけではないまた、ハブの代わりに無線ＬＡＮを使用してもよい。
【００１３】
以下、体重計２を具体例として本発明を適用した計測機器について説明する。体重計２は、図２に示すように体重を計測する体重計測部２１と、体重計２にＵＰｎＰ（Universal Plug And Play）デバイス機能を付加するＵＰｎＰデバイス処理部２２と、体重の測定結果を表示する表示部２３と、過去に測定した体重データや体重データの解析データなどを表示部２３に表示させる表示処理部２４と、ＴＣＰ（Transmission Control Protocol）／ＩＰ（Internet Protocol）のプロトコルに従って通信を行う通信管理部２５と、プログラムや設定情報を格納するＲＯＭ（Read Only Memory）２６と、プログラムを実行するＣＰＵ（Central Processing Unit）２７と、ＣＰＵ２７のワークエリアであるメモリ２８と、体重計２で処理したデータをＬＡＮケーブルなどの物理的な媒体に送出するネットワークインターフェース２９とを備える。
【００１４】
ＵＰｎＰデバイス処理部２２は、ＵＰｎＰのプロトコルに従いネットワークへの参加を行う。ＵＰｎＰデバイス処理部２２は、動的なＩＰアドレスの取得、体重計２の状態情報と体重計２が提供するサービス情報の通知を行う。ＵＰｎＰを使うとデバイスをＬＡＮにつなぐだけで、ＬＡＮ上のＵＰｎＰデバイスが相互にサービスを使用することができる。健康管理システム１では、体重計２とサーバ３が互いのサービスを利用して、体重データをサーバ３に自動的に格納する処理と、体重計２に表示するデータをサーバ３が生成する処理とを行う。
【００１５】
表示処理部２４は、ユーザから指示された統計量や図表などの表示データをサーバ３に要求する。サーバ３の表示データ生成部３３（後述）は、表示処理部２４から要求されたデータを体重計２に送信する。表示処理部２４は、サーバ３から表示データを受信すると、受信した表示データを体重計２の表示部２３に表示させる。
【００１６】
通信管理部２５は、ＴＣＰやＵＤＰ（User Diagram Protocol）、ＩＰなどＴＣＰ／ＩＰのプロトコルに従って通信を行う。通信管理部２５の具体的な処理には、データのパケット化、データの送信制御、エラーの検出・回復、フロー制御、順序制御などがある。
【００１７】
サーバ３は、図３に示すようにＵＰｎＰデバイスを制御するＵＰｎＰコントロール部３０と、体重計２と通信して体重データを収集・管理する体重データ管理部３１と、体重データからユーザを特定するユーザ特定部３２と、体重データの推移や体重データの解析結果などの表示データを生成する表示データ生成部３３と、ＴＣＰ／ＩＰのプロトコルに従って通信を行う通信管理部３４と、プログラムや設定情報を格納するストレージ３５及びＲＯＭ３６と、プログラムを実行するＣＰＵ３７と、ＣＰＵ３７のワークエリアであるメモリ３８と、ＣＰＵ３７が処理したデータをＬＡＮケーブルなどの物理的な媒体に送出するネットワークインターフェース３９とを備える。
【００１８】
ＵＰｎＰコントロール部３０は、ＬＡＮに接続されたデバイスを検出する。ＵＰｎＰコントロール部３０は、デバイスを検出すると、検出したデバイスのデバイス名、デバイス製造業者などのデバイスに関する情報（以下、デバイス情報と記す）と、デバイスが提供するサービスタイプやサービスを受けるためのコマンドなどのサービスに関する情報（以下、サービス情報と記す）を取得する。デバイスの検出は、デバイスからの検索要求メッセージを受信したときに開始する。ＵＰｎＰコントロール部３０は、体重計２からの検索要求メッセージを受信すると、体重計２にリクエストメッセージを送信して、体重計２のデバイス情報とサービス情報とを取得する。
【００１９】
体重データ管理部３１は、体重計２にコマンドを出力して体重データを取得する。ユーザ特定部３２は、計測対象者であるユーザを特定する。ユーザの特定方法には、ユーザが識別情報を直接入力する方法、測定した体重データを基にして近似している体重データを同一のユーザの体重データであると分類することで間接的にユーザを区別する方法がある。ユーザが直接入力する識別情報には、暗証番号のようなユーザ毎に決められた識別番号のほか指紋などのバイオメトリクス認証を用いることもできる。
【００２０】
一般に、体重は、長期間空けて測定する場合は別として、定期的に測定している場合、劇的に変化する数値ではない。例えば、昨日測定された体重と今日測定された体重とでは、大きな差はない。したがって、測定された値を過去の近似する測定値と同じグループに分類することができる。ユーザ特定部３２は、これにより間接的にユーザを区別することができる。この方法により、ユーザが個人を識別する情報を入力しなくても、この体重計２にて体重を測定した時点で個人が区別できる。
【００２１】
体重データ管理部３１は、体重データとユーザ特定部３２が特定したユーザの識別情報、体重を測定した日時とを関連付けて、ストレージ３５の体重データ記録部３５ａに格納する。なお、ユーザ特定部３２は、サーバ３でなく体重計２に設けてもよい。
【００２２】
表示データ生成部３３は、体重計２の表示部に表示するデータを体重計２に送信する。表示データ生成部３３は、過去に測定した体重データ、最高体重、最低体重、平均体重などの統計量、ユーザの身長や年齢に基づくユーザの理想体重などを体重計２に送信する。また、表示データ生成部３３は、ユーザの体重を理想体重にさせるための食事や運動メニューなどのアドバイス情報を作成して体重計２に送信する。
【００２３】
以上説明したように本発明を適用した健康管理システム１では、体重計２に通信機能とＵＰｎＰデバイス部２２とを備えることにより、測定した体重データが自動的にサーバ３に格納される。このため、体重データをユーザが手動で記録する手間を省略することができ、体重データの記録漏れや記録ミスを回避することができる。また、サーバ３で生成した表示データを体重計の表示部２３に表示させるため、ユーザがパーソナルコンピュータなどの情報処理装置を起動することなくとも、体重計２上で図表やアドバイス情報を閲覧することができる。
【００２４】
次いで、上述した健康管理システム１の体重登録処理を図４のフローチャートを参照しながら説明する。体重計２に電源が投入されると（ステップＳ１１）、体重計２のＵＰｎＰデバイス処理部２２は、自己の存在を通知するための検索要求メッセージを出力する（ステップＳ１２）。検索要求メッセージは、マルチキャストで出力される。サーバ３のＵＰｎＰコントロール部３０は、検索メッセージにより体重計２の存在を検出する（ステップＳ１３）。サーバ３のＵＰｎＰコントロール部３０は、検索メッセージを受信すると、デバイス情報を要求するリクエストメッセージを体重計２に送信する（ステップＳ１４）。体重計２のＵＰｎＰデバイス処理部２２は、デバイス情報をサーバ３に送信する。デバイス情報は、体重計２のメーカ名、製造番号など体重計自身の属性を示す情報である（ステップＳ１５）。
【００２５】
デバイス情報には、サービス情報の格納場所を示す情報が記述されている。サーバ３のＵＰｎＰコントロール部３０は、サービス情報を要求するリクエストメッセージを体重計２に送信する（ステップＳ１６）。体重計２のＵＰｎＰデバイス処理部２２は、サービス情報をサーバ３に送信する（ステップＳ１７）。サービス情報は、体重計２が他のデバイスに提供できるサービスについての情報である。
【００２６】
体重計２の体重計測部２１は、体重の測定が完了すると（ステップＳ１８）、体重データをサーバ３に送信する（ステップＳ１９）。サーバ３のユーザ特定部３２は、体重データを基にユーザの特定を行う。ストレージ３５の体重データ記録部４０には、過去に測定した体重データが格納されている。ユーザ特定部３２は、過去に体重を計測した時刻、過去に測定した体重データのばらつき、直近に測定した体重データなどからユーザを特定する。なお、体脂肪計や血圧計などの測定機器がＬＡＮにつながっている場合には、これらの機器の測定結果を総合してユーザの特定を行ってもよい。また、上述したように、自動的なユーザの特定ではなく、ユーザが識別情報を直接入力する方法を用いてユーザを特定してもよい（ステップＳ２０）。サーバ３は、ユーザを特定すると、測定した体重データと測定時刻とユーザとを関連付けて体重データ記録部に記録する（ステップＳ２１）。
【００２７】
このように、健康管理システム１では、体重を計測するだけでユーザの識別情報、体重データ、体重を計測した時刻がサーバ３に自動的に記録される。また、過去に測定した体重データや体重データから算出される統計量などを体重計２で閲覧することができる。
【００２８】
次いで、体重データ閲覧処理を図５のフローチャートを参照して説明する。まず、体重計２の入力部にユーザの識別情報が入力され（ステップＳ３１）、閲覧したいデータの種類が入力されると（ステップＳ３２）。
【００２９】
体重計２の表示処理部２４は、ユーザの識別情報と閲覧したいデータの種類を示すリクエストメッセージを生成してサーバ３に送信する（ステップＳ３３）。サーバ３の表示データ生成部３３は、リクエストメッセージを受信すると（ステップＳ３４）、指定された表示データを生成し（ステップＳ３５）、生成した表示データを体重計２に送信する（ステップＳ３６）。体重計２の表示処理部２４は、表示データを受信すると（ステップＳ３７）、受信した表示データを基に表示画面を生成し体重計２の表示部２３に表示させる（ステップＳ３８）。
【００３０】
図６は、表示画面例を示す。図６（ａ）の表示画面５０は、２つのウィンドウ５１，５２から構成されている。図面上側のウィンドウ５１は過去に測定された体重データの日付ごとの推移が描画されている。また、図面下側のウィンドウ５２には、最高体重、最低体重、平均体重などの統計量、ユーザの身長や年齢に基づくユーザの理想体重などが表示されている。図６（ｂ）の表示画面６０は、ユーザの体重を理想体重にするためのアドバイス情報が表示されている。アドバイス情報としては、体重データの分析結果６１、ユーザの食事のアドバイス情報６２や運動メニュー６３などがある。
【００３１】
以上説明したように、本発明を適用した健康管理システム１では、体重計２のような計測装置にプラグアンドプレイ機能を備えることで、計測したデータを自動的にサーバ３に格納することができる。また、本発明を適用した健康管理システム１では、ユーザを特定するユーザ特定部３２を備えるため、ユーザを判別する情報を入力する手間を省略することができる。さらに、健康管理システム１では、データを測定した時刻も自動的に記録する。
【００３２】
また、体重計２は、サーバ３の機能を利用して計測したデータの統計量を求めたり、計測したデータを解析して、ユーザに適した健康上のアドバイス情報を生成する。体重計２は、サーバ３が生成した情報を受信し、体重計２の表示部に表示させる。
【００３３】
このように、健康管理システム１では、データの解析や統計量の演算処理などをサーバ３に実行させることにより、体重計２のハードウェア構成を複雑化させることなく、多様なデータを表示させることができる。また、プログラムのアップデートも容易である。
【図面の簡単な説明】
【００３４】
【図１】本発明を適用したＬＡＮの一例を示す図である。
【図２】体重計の構成を示すブロック図である。
【図３】サーバの構成を示すブロック図である。
【図４】体重データ登録処理の手順を説明するフローチャートである。
【図５】体重データ閲覧処理の手順を説明するフローチャートである。
【図６】体重計における表示画面の一例を示す図である。
【符号の説明】
【００３５】
１  健康管理システム、２  体重計、３  サーバ、４  ハブ、５  体脂肪計、６  脈拍計、７  心拍計、８  歩数計、９  血圧計、１０  体温計、２１  体重計測部、２２ＵｐｎＰデバイス処理部、２３  表示部、２４  表示処理部、２５  通信管理部、２９  ネットワークインターフェース、３０  ＵＰｎＰコントロール部、３１  体重データ管理部、３２  ユーザ特定部、３３  表示データ生成部、３４  通信管理部、３５  ストレージ、３９  ネットワークインターフェース、４０  体重データ記憶部、５０  表示画面、６０  表示画面
【図１】
2005319216.tif 000003
【図２】
2005319216.tif 000004
【図３】
2005319216.tif 000005
【図４】
2005319216.tif 000006
【図５】
2005319216.tif 000007
【図６】
2005319216.tif 000008